(57)【要約】      （修正有）【課題】風等の影響によって脱げることのない、ハット型の帽体を提供する。【解決手段】クラウン１１と、ブリム１２と、からなるハット型の帽体１０の両側面におけるクラウン１１とブリム１２の境に、ゴーグル類を固定するための固定バンドを通すことが可能なスリット１３を設ける。このことにより、ゴーグル類を固定するための固定バンドを使用して、着用者の頭部にゴーグルと一体固定することが可能となる。従って、風等の影響によって脱げることがない帽体となる。【選択図】図１
2016204777.tif 000002
【特許請求の範囲】
【請求項１】
クラウンと、ブリムと、からなるハット型の帽体であって、
帽体の両側面におけるクラウンとブリムの境には、ゴーグル類を着用者の頭部に固定するための固定バンドを通すことが可能なスリットを設けることを特徴とする、帽体。
【発明の詳細な説明】
【技術分野】
【０００１】
本発明は、スキーやスノーボード、春山スキー等の際に着用する帽体に関するものである。
【背景技術】
【０００２】
従来、スキーやスノーボード等の際には、着用者の頭部に強固に固定するための固定バンドのついたゴーグルと共に、つばの無い耳まで隠れる深さを有する帽体、所謂ニット帽を着用するのが一般的であったが、以前から陽射し除けとして、又はファッションとして、下記特許文献で提案されるような帽体を着用したいという声もあった。
【０００３】
特許文献１では、表地と裏地とで構成されたキャップ本体のクラウン部と、このクラウン部の一部に所定の長さと幅で取り付けたブリム（ツバ部）とで構成された帽体、所謂キャップと呼ばれるものが提案されている。
【先行技術文献】
【特許文献】
【０００４】
【特許文献１】特開２００８−１２１１６０号公報
【発明の概要】
【発明が解決しようとする課題】
【０００５】
しかしながら、前記特許文献１で提案されるようなブリムを有する帽体は、風を受けやすいために脱げやすく、実際にはスキーやスノーボード等をする際にそのような帽体を着用するのは稀であり、特にブリムを全周囲に有するハット型の帽体を着用することはめったにないという実情があった。
【０００６】
本発明は上記実情を考慮したもので、その解決課題は、風等の影響によって脱げることのないハット型の帽体を提供することである。
【課題を解決するための手段】
【０００７】
前記の課題を解決するための本発明は、クラウンと、ブリムと、からなるハット型の帽体であって、帽体の両側面におけるクラウンとブリムの境には、ゴーグル類を着用者の頭部に固定するための固定バンドを通すことが可能なスリットを設けることを特徴とする。
【発明の効果】
【０００８】
本発明のような構成であれば、スリットにゴーグル類を固定するための固定バンドを通し、着用者の頭部に帽体とゴーグル類を一体固定することが可能となる。従って、ブリム付きの帽体であっても風等の影響によって脱げることがなく、陽射し除けとファッション性を兼ね備えた帽体となり、スキーやスノーボード、春山スキー等に好適なハット型帽体を提供できるという顕著な効果を奏するものである。
【図面の簡単な説明】
【０００９】
【図１】（イ）、（ロ）図は、本発明における帽体の斜視図と、中央横断面図である。
【図２】本発明における帽体を着用した状態を示す側面図である。
【図３】（イ）、（ロ）図は、本発明における帽体のその他の実施形態を示す斜視図と、中央縦断面図である。
【図４】本発明における帽体のエッジのその他の実施形態を示すための中央横断面図である。
【発明を実施するための形態】
【００１０】
以下、本発明の実施の形態を図１から図４を参照して詳細に説明する。まず、本発明による帽体１０は、図１（イ）に示すように、ハット型のものであって、クラウン１１と、ブリム１２と、からなるものであり、超軽量、高強度ナイロン生地やポリエステル生地等によって作製されるものである。なお、本発明による帽体１０は、その他にリボンやハットバンドを有するものであっても問題ない。また、本発明の帽体１０は、図２に示すように、スキーやスノーボードの際に着用するゴーグル類２０と共に着用者の頭部に一体固定されるものであるが、ここでいうゴーグル類２０とは、主に風や冷気、氷片や木の枝などの飛来物、雪の照り返しによって強くなる紫外線から目を保護するための保護具のことであって、着用者の頭部に強固に固定するための固定バンド２２を備えたものである。
【００１１】
そして、クラウン１１は、帽体１０の頭部分全体のこと、言い換えるならば、帽体１０の山の部分にあたる部位のことであって、クラウン１１の頭頂部位であるトップクラウン１１ａと、クラウン１１の側周部位であるサイドクラウン１１ｂと、からなり、上底を有する略円筒形状を有するものである。なお、トップクラウン１１ａの形状は、本発明では特に限定されるものではなく、ナカオレ等と呼ばれるＵの字型のものや、スジイリ等と呼ばれる丸みがありスジが入ったもの、その他、パイ型やダイヤ型と呼ばれるものでもよい。そして、図１（イ）に示すように、クラウン１１は、その側周部位であるサイドクラウン１１ｂの基部、一般的に腰やサイズ元と呼ばれる部分で、後述するブリム１２、より詳しく述べるならば、ブリム本体１２ａと連結している。
【００１２】
ブリム１２は、ひさし部分全体のことであって、一般的にはツバとも呼ばれる、全体的に見て略平板状をなすものである。そして、本発明の帽体１０は、このブリム１２を全周囲に備えるものであって、ブリム本体１２ａと、ブリム１２の外周端部であるエッジ１２ｂと、からなる。なお、本発明の帽体１０におけるブリム１２は、オールダウンと呼ばれる下向きのものであってもよいし、その他、オールアップと呼ばれる上向きのものや、正面側は下向き、後面側は上向きといった、所謂スナップブリムと呼ばれる構成のものであってもよい。
【００１３】
ブリム本体１２ａは、前記したようにクラウン１１の側周部位であるサイドクラウン１１ｂの基部、一般的に腰やサイズ元と呼ばれる部分と連結されるものであって、図１（イ）、（ロ）に示すように、帽体１０の両側面におけるクラウン１１との境には、スリット１３を有している。このスリット１３は、ゴーグル類２０を着用者の頭部に強固に固定するための固定バンド２２を貫挿自在なだけの隙間空間を有するものであって、図２に示すように、着用者は、スリット１３にゴーグル類２０の固定バンド２２を通して固定することで、帽体１０とゴーグル類２０を着用者の頭部に一体固定することが可能となる。従って、本発明は、風等の影響によって脱げることがない従来にない帽体１０となっている。また、本発明のように帽体１０とゴーグル類２０を着用者の頭部に一体固定することで、ゴーグル類２０の上に雪等が降りかかることもないので、ゴーグル類２０が曇りにくいという効果も期待できる。
【００１４】
なお、エッジ１２ｂは、図４に示すように紐等からなる線部材１５に沿わせて生地を縫うことで丸みを帯びたものにしてもよく、このことによって雨水や雪等が着用者の顔にかかりづらくなるようにすることが望ましい。
【００１５】
そして、スリット１３は、ゴーグル類２０の固定バンド２２を通しやすくするために、図３に示すように、帽体１０の両側面から後面にかけて大きく隙間空間を有するものであってもよいが、その場合には、ゴーグル類２０の固定バンド２２を通したあとに、面ファスナ等の固定部材１４によって、帽体１０の後面側におけるクラウン１１とブリム１２をきちんと連結固定させることが望ましい。
【００１６】
なお、本発明の帽体１０は、上記実施形態に限定されるものではなく、その趣旨を逸脱しない範囲において適宜変更可能である。例えば、ゴーグル類２０は、サングラス等、ツル部を有するメガネに固定バンドを備えるようなものであってもよい。
【符号の説明】
【００１７】
１０    帽体
１１    クラウン
１１ａ  トップクラウン
１１ｂ  サイドクラウン
１２    ブリム
１２ａ   ブリム本体
１２ｂ  エッジ
１３    スリット
１４    固定部材
１５    線部材
２０    ゴーグル類
２２    固定バンド
【図１】
2016204777.tif 000003
【図２】
2016204777.tif 000004
【図３】
2016204777.tif 000005
【図４】
2016204777.tif 000006